(57)【特許請求の範囲】
【請求項１】
携帯電話機本体のコードを引くことによって電気的に接続し回線を繋ぐ緊急スイッチを設けた携帯電話機において、携帯電話機本体下部に凹部を設け、凹部にカバーを付け、緊急時にカバーを突いて指を差込み、凹部の中に差込んだ指で、携帯電話機本体の下部に一体化した、凹部を囲んだＵ字をした緊急用コードを引くことによりスイッチが入り、緊急機能が作動することを特徴とするセキュリティー機能付き高齢者用携帯電話機。
【請求項２】
前記緊急スイッチが入った時のみ個別化されたバッテリーのスイッチと拡声集音機能と位置確認発信音機能が同時に入り、個別バッテリーが消耗したところで携帯電話機の一部緊急機能がリセットされることを特徴とする請求項１記載のセキュリティー機能付き高齢者用携帯電話機。
【請求項３】
通常の電話回線を繋げる数字ボタンは、一箇所の連続切り替えボタンをＯＮと押して番号を入力し電話回線を繋ぎ、同じ切り替えボタンを再度押すとＯＦＦと切れ、ＯＮ／ＯＦＦが順次切り替わり電気的に接続し回線を繋ぐことを特徴とする請求項１記載のセキュリティー機能付き高齢者用携帯電話機。
【請求項４】
アイコンボタンはワンプッシュで電気的に接続し回線を直接に繋ぐスイッチが設けられ接続・切断が同じアイコンで順次切り替わるワンプッシュアイコン押しボタンスイッチを設けたことを特徴とする請求項１記載のセキュリティー機能付き高齢者用携帯電話機。
【請求項５】
二つ折りの携帯電話機であって、本体横のボタンを押すと片手でコンパクトが開くように開くスイッチが設けられていることを特徴とする請求項１記載のセキュリティー機能付き高齢者用携帯電話機。
【請求項６】
携帯電話機本体の背部に携帯電話機関係装置格納と異なる、外部から自由に開閉し、緊急医薬品等が保管される保管庫としてのポケット部を有することを特徴とする請求項１記載のセキュリティー機能付き高齢者用携帯電話機。
【発明の詳細な説明】
【０００１】
【発明の属する技術分野】
本発明の携帯電話機の本体に一体化された緊急コードスイッチは引くことで電気的な接続と回線を繋ぐセキュリティー機能付き高齢者用携帯電話機に関する。
【０００２】
【従来の技術】
従来の携帯電話機は押しボタンによる電気的な接続と回線を繋いでおり、緊急時を想定して特別な装備設定がなされていない。
【０００３】
使用者が相手番号をキーパッドのボタンを組み合わせて押すことで通話がなされる。緊急時にはキーパッドの小さなボタンを１１９と確かめて押すか、緊急時番号を短縮ボタンに割り当ててそのボタンを押すことで回線を接続できるものがある。緊急時慌てているときには常用のキーパッドのボタンの中から通報先の番号を選んで押すことはなかなかできないことである。またキーパッドのボタンについては、そのボタンの中に多くの操作性をもたせていたり、使用者がボタンの複雑な組み合わせによって操作し回線を接続している。  これらのボタンは暗闇では明かりがないと使えない。  指で引き下げてスイッチを入れる操作の携帯電話機はない。病院や電車の中では電源を切っておかなければならない。また、緊急用の押しボタンを横につけているものがある。しかしこれらについても誤作動防止のキャップがついており、緊急時にはつかいにくく横に突出しており誤報が生じやすい。外部のものをひっかけたり、誤って指をひっかけて誤作動をおこすことが考えられる。
【０００４】
これまでの携帯電話機の実施例から一台の携帯電話機中に緊急時に必要な機能を兼ね備えている携帯電話機がない。また、ペンダント式やキーホルダー式や壁等に固定設置する押しボタンによる独自の緊急通報器がある。いざという時に電池が切れていては使えない。また携帯していても電池が不安である。
【０００５】
携帯電話機は充電式のものであるのでバッテリー管理がなされているが、緊急時に備えた専用バッテリーが区別して確保されておらず、いざ緊急というときにバッテリーがなくなっていたり、緊急通報途中でバッテリーが切れたり、位置が逆探知できないことがある。
【０００６】
緊急時には携帯電話機を耳元や口元にもっていけないことが予想される。携帯電話機以外の通常の電話機にはハンズフリー機能という拡声集音機能がある。携帯電話機ではバッテリーの関係上電力をくうので設置されていない。
【０００７】
これまでの携帯電話機は、逆探知をして位置確認はできる。使用者側が緊急時を警告している発信機は装備されていない。
【発明が解決しようとする課題】
【０００８】
携帯電話機本体の下部にある緊急コードスイッチが引かれると、通常本体の電源が切られていても、電源が入り、電気的な接続と回線を繋ぎ緊急通報先に回線が接続されると、省エネモードの緊急用バッテリーに切り代わり、拡声集音機能が作動し会話がなされ、位置確認発信音機能に切り替わる緊急時に必要な機能を有したセキュリティー機能付き高齢者用携帯電話機とした。
【課題を解決するための手段】
【０００９】
本携帯電話機は、緊急通報時のインターフェイスとして携帯電話機本体の下部に一体化した緊急コードスイッチを設けた。携帯電話機ではない緊急通報器には専用機として紐の先の玉を引いて管理連絡先に無線通信するものがあるが外部にひっかけて誤作動を起こす。緊急コードスイッチは本体に一体化することで、所持しているときに外部のものにひっかけ誤作動をすることがないようにした。緊急コードスイッチのコードの面が平らになるように指を差し込むと下に動いて指をコードに掛けられるコードスイッチ水平カバーをつけた。
【００１０】
人はとっさに体を中心に引く防御体制を生理的に無意識に行っている。緊急時に力を中心に向け慌てているときに反対の力である外向きの行動である番号を探してボタンを押す行動はなおさらパニックに陥らせる。このことから慌てている時には中心へ体を引き寄せる生理的機能を自然にもちいることで緊急時にストレスを加える事無く正確に緊急スイッチが入れられるインターフェイスとして単純に下にある緊急コードスイッチに指をかけて身体の中心に引くことで電気的な接続と回線が接続され緊急通報され、緊急時に必要な機能が一気に作動するようにした。暗闇でも手探りで誤作動なくコードを引くことができる。携帯電話機に緊急時に必要な拡声集音機能と省エネモードの緊急バッテリーに切り替わり、位置確認の発信をバッテリーが消耗するまで作動させ、停止したところで一部機能がリセットされ、使用者には簡単に再セットできないようにすることで、緊急コードを慎重に使用するようにした。
【００１１】
緊急コードスイッチが一度下に引き下げられ緊急用バッテリーが消耗すると携帯電話機の内部メモリが一部リセットすることにした。リセットすることで携帯電話機が容易にセットできなくなれば、本当の緊急時以外はいたずらに使用することができない機能にした。緊急連絡相手を混乱させることを防止した。緊急通報は重要な機能であると使用者に認識させるためである。
【００１２】
緊急時に肝心なバッテリーの心配がないよう通常使用とは個別に確保されているようにした。緊急コードスイッチが下に引き下げられた時のみに緊急用に個別に設置された省エネモードの緊急バッテリーに切り替わり緊急事態が確認できる時間が経過したところで消費電力の少ない省エネモードに移行し、もし遭難していても位置が数日かかっても確認できる発信機が作動する装備にした。
【００１３】
緊急時に他者が大きな声で呼び出し者に声をかけることは医学的に重要なことである。携帯電話機を耳元や口元にもっていかなくても救護者と会話ができるように緊急コードスイッチ  が下に引き下げられたと同時に拡声集音機能が作動するようにした。拡声集音機能はバッテリーを食うので一定時間だけ作動するようにし、一定の会話後に、位置を特定するまでのバッテリー確保のために消費電力をおさえるために、省エネモードの発信機能に切り替える。
【００１４】
緊急コードスイッチが下に引き下げられた時のみ、緊急時現場を知らせる発信音で遭難していても数日作動することを特徴とした機能である。
【発明の実施の形態】
【００１５】
発明の実施の形態を実施例に基づき表１及び図面を参照して説明する。
常時イニシャライズされている携帯電話機は入力待ち又は電源が切られた状態で携帯されている。緊急事態になったら、携帯電話機本体（１）の下部に一体化した緊急コードスイッチ（２）の内側にある緊急コードスイッチ水平カバー（３）に指を差し込んで緊急コードスイッチ（２）に指をかけ下に引き下げると省エネモードの緊急用バッテリー（４）に切り替わり、本体に電源が入り回線が接続され読み出しがなされると登録された緊急呼び出し相手先の番号である１１９番まはた１１０番または保護者の設定した緊急連絡先に直結し、拡声集音機能（５）が作動し呼び出した側の声を集音し呼び出された側の声を拡声して会話できる状態になる。使用者の頭部付近に本携帯電話機を置いておくだけで救護者が現場にいる感覚で呼びかけ状態の確認ができ会話が行われる。緊急事態の状況確認を行う一定時間が経過すると位置を確認するために長い時間バッテリーを確保するため、省エネモード（４）に移行し、長時間発信音が切れない状態になり、緊急時であることを知らせる位置確認発信音（６）をだしながらバッテリーが消耗するまで作動する。一度引き操作コードスイッチが下に引き下  げられるとバッテリーが切れた時点で一部のセットメモリーがリセットする。
【００１６】
緊急時のみ携帯電話機に一体化した下の緊急コードを引くことで省エネモードの緊急バッテリーに移行し電源が入り、拡声集音機能が作動し、その後省エネモードで位置確認発信音に切り替わり遭難や無言状態等を予定しての数日は発信できる状態になる。
【００１７】
【表１】
0003551865.tif 000002
【００１８】
携帯電話本体の内部には緊急時に備えて使用者が緊急常備薬等を格納できポケットを設けている。その場で緊急薬を使用できる。また緊急時の行きつけの病院主治医、血液型、その他の重要な個人情報をも携帯電話機本体に格納できるポケット（７）が装備されている。
【００１９】
本携帯電話機にセットしてある他の通常の押しボタンは大人の人差し指の腹大以上の大きさのものを設置し、表示は明確に拡大した数字と個人の必要なアイコンで表示されているワンプッシュアイコン押しボタン（８）で相手方に接続・切断できる。同時に通常の携帯電話機としても電話回線をＯＮ／ＯＦＦ切り替える（９）ことにより通常の番号入力（１０）で回線が繋がるものである。通常時でもワンプッシュでハンズフリー会話（１１）に切り替わる押しボタンがあり通常はハンズフリー会話が一定時間会話がない場合は使用者の切り忘れや使用困難な場合を想定して省エネのために回線が自動切断され、通話検出手段を有し次の待機状態にいる。
【００２０】
二つ折りの携帯電話機の場合は、横のボタン（１２）を押すと片手でコンパクトが開くように開いて使用する。
【発明の効果】
【００２１】
本発明は以上のように構成されているので、以下に記載されているような効果を奏でる。緊急時になると、携帯電話機に一体化された緊急コードスイッチをぱっとひくことで１１９番や１１０番または設定された連絡先に接続できるようにした。この引くコードは人はパニックに陥ると身体は緊張し、その瞬間力を体に引き寄せ萎縮する生理的機能がある。ボタンを押すということはその力を外に向けることになりこの様な緊張時の生理的動作に抵抗するところからさらにパニックになり、誤作動を起こしたりついには使用できないことになる。引くコードであれば抵抗しないとっさの動作として引く動作は暗闇でも選択なしに手探りでも選べ正確に入力できる。人間が緊急時に起こす身体に引き寄せる本能を利用してその行動を考慮に入れ緊急時にはボタンを押す動作よりも引く動作を無意識にするところから、引くことによりスイッチがいるようにしたものである。パニック時の生理的状況を利用するので誰もが正確に緊急先に連絡がつく。ボタン等は緊急時はあわてていて表面に並んでいるボタンから緊急ボタンを選ぶということができない。そして誤作動を起こし、入力できないまま使用できない状態である。そこで緊急コードスイッチを引くのは暗闇でも手探りでスイッチが入る。高齢者になると更に医学的にも機械や機器の操作が若者より明確に低下している。高齢者の生理的機能を医学的にも考慮して高齢者が使えるインターフェイスにすることが重要である。そこでこのセキュリティー機能付き高齢者用携帯電話機は高齢者がだれでもが簡単にこの引くコードだけで特に緊急時には携帯電話機のスイッチが正確に入力できる形状と操作性のあるものに構成した。また引くコードはボタンを押すという動作と異なった動作であるので、緊急時という特殊な操作として使用者も慎重なスイッチとして認識する。詳細な説明なくしても、「いざという時はここを引く」という単純な指示で説明がつき、使用者が困惑しない。この引くという動作に押しボタンと異なった特殊性があり、これらを考慮し利用しての本発明は緊急用引くコードスイッチとしたのである。
【００２２】
また緊急コードは外部にひっかけて誤作動を起こすことが考えられるがそれを防ぐべく緊急コードは携帯電話機に一体化して設置した。外部のものに引っ掛けて誤作動を起こすことがない。
【００２３】
また緊急時には緊急用のバッテリーが作動し、いざバッテリーがないといった事態をなくした。安心して所持できる。緊急用バッテリーについては省エネモードで拡声集音機能から位置確認用発信モードへ切替える切替手段を有しするようにし、数日かかっても現場を確認するまで省エネモードで位置確認用発信機が作動するものとした。
【００２４】
緊急の場合は携帯電話機を口元や耳元に必ずしももっていけず、問答が確保できないため、拡声集音機能であるハンズフリーでの通話となる。緊急現場で大きな声で急患者に呼びかけることは救助の基本である。その状況確認と位置確認及び呼びかけを目的としてる。状況が確認できる所要時間がすぎると、バッテリー確保のために省エネモードに切り替わり、緊急の位置を確認できる間発信音がだされ、救助隊が到着するまで現場を確定している。
【００２５】
また緊急コードはやたらと引かないように、本当に緊急時に作動させるものとして、一度使うと主要設定がリセットすることで、慎重にコードを引くことになるようにした。
【００２６】
本携帯電話機の背部にはポケットが内蔵されており、持病や心筋梗塞等の恐れがある使用者についてはその緊急処置薬である心筋梗塞用のニトロペン等を携帯電話機内のポケットから出し、処置ができるように常時入れておくことができるので緊急処置ができるだけ早くできる。またこのポケットには緊急時の個人情報を入れておくことで早急な処置ができる。緊急時に救急薬をあちこと探さなくてもよい。通信機器に緊急医薬品が内蔵されていることが救急救命時の大きな要になる。
【００２７】
また緊急時を主体にした引きコードスイッチと共に日常的な携帯電話の使用には、簡単に操作できるワンプッシュボタンやアイコン表示とボタンを拡大したスイッチのインターフェイスの携帯電話機にすることで高齢者が実際に日常的に使える。日常的に自宅や離れた家族や会社や行きつけの病院や介護福祉士やタクシーといった常時使うところにはワンプッシュ回線接続設定にして利用しやすくし、どこにいても主治医から社会や家庭にいながら常時状況が確認できたり、主要なところと速やかに連絡がつくようインターフェイスを単純なものにしているのでだれでも実際に使用できる携帯電話機となっているので高齢者、中高年、一部障害者、子女、病人といった人々が現実的に使えるようになる。平均的多数のものが使用できるとその効果は比例して増幅する。
【００２８】
日常的にこのセキュリティ機能付きの携帯電話を所持していることで所持している方もさせている方も安心して生活ができ、それらの人々を取り巻く関係者や家族が外部からいつでもこの携帯電話使用者に連絡し、その様子を確認することができる。
また一人暮らしの人口も増えつつあるが、これらの人々にも安心して生活できる携帯電話機となる。
【００２９】
また携帯電話にかかる基本料や使用料は民間保証会社のセキュリティに委託しての経費は高価でありだれでも所持できるものではない。しかし、本発明により、携帯電話機に救急救命と防犯機能が主体に使用できるところから、携帯電話機は安価で普及しているので安い経費でだれもが救急救命と防犯に使える。更に携帯電話機であると双方向のアクセスが可能である。外部の環境設定は不要で環境整備に膨大な経費がかからない。携帯電話機は安価なセキュリティーグッズとしての利用価値が高い。
【００３０】
そこでこのセキュリティ機能を付加した携帯電話は、まだまだ自立でき社会参加できる高齢者に不可欠であり、セキュリティグッズとして単独にも有効に活用できる。  電話機感覚で基本料金も安価でありこれに特に緊急救命及び防犯時に最も必要な機能を組み込み高齢者はもちろんのこと、中高年、障害者、子女、病人といった多くの人々が安価で容易に使える肝心な時にとっさに使用できる携帯電話機となっている。利用者の幅がビジネスマンや若者の倍を占めるといわれる中高年、障害者、子女、病人の数は人口の半分を占めこれらの人々がこれまで使用していないのであるからセキュリティー機能付き高齢者用携帯電話機はこれまでの使用を上回る倍増した高い普及が見込まれる。携帯電話機は人が生活してる中で最も携帯し、通信機器は利用価値が最も高く、これに救急救命と防犯を目的に構成された携帯電話機はいまだない。更に救急救命と防犯を目的に構成された携帯電話機機能が万人使えるとして引くコードスイッチが組み込まれ電話機に一体化したことで特に中高年、障害者、子女、病人といった人々が使える。
【００３１】
高齢者、中高年、一部障害者、子女、病人といった人々がわが国人口の約半分を占めるといわれる。この様な人々を守り保護しながら（２）（３）（４）（５）（６）、実際に使用できる操作性と形状（２）（８）と標準の番号入力方式（９）（１０）を同時に装備することで、社会参加と活動の範囲を広げることができ携帯電話機の活用範囲が広がり、社会の活性化と携帯電話機の普及にも繋がるものである。日常健康な高齢者をはじめ一部障害者はこれからの社会においては貴重な生産者であり、それらの人々の生活を安全に便利にし社会参加人口を確保することは社会的な価値も大きい。セキュリティー機能付き高齢者用携帯電話機を所持していることで社会に貢献する人口が増えることにより、高齢化社会を活力あるものにする。この発明は、社会的に社会福祉医療経済に役立つ以上の効果をもったセキュリティ機能付き高齢者用携帯電話機です。
【図面の簡単な説明】
【図１】発明の使用時の正面図である。
【図２】本発明の携帯時の背面図（二つ折の場合）である。
【符号の説明】
１  本体
２  緊急コードスイッチ
３  緊急コードスイッチ水平カバー
４  省エネモードの緊急用バッテリー表示
５  拡声集音機能
６  位置確認発信音機能
７  ポケット
８  ワンプッシュアイコン押しボタン
９  通常の電話機能（ＯＮ／ＯＦＦ）
１０  通常の電話機能（拡大押しボタン）
１１  ハンズフリー機能
１２  二つ折りを開ける横の押しボタン
【図１】
0003551865.tif 000003
【図２】
0003551865.tif 000004